(57)【要約】      （修正有）【課題】電動或いは手動工具において、グリップが本体に対して直角にドライバーヘッドの軸回転をコントロールできる角度回転機能を備える接続棒構造を提供する。【解決手段】角度回転機能を備える接続棒構造は、本体１０、連軸接続棒２０、直角接続カバー３０、グリップ４０、連動部品５０、迅速取外しユニット７０を組み合せて構成し、上記した構造により、使用者が、回転連棒構造を用いて作業を行う際には、電動或いは手動工具により、連軸接続棒２０の六角棒セクション２４を駆動し、これにより連軸接続棒２０の斜歯部２３は、連動部品の斜歯車５１を連動し、ドライバーヘッドＰを駆動して、直角性質の螺合作業を行うことができる。【選択図】図２
0003188583.tif 000002
【実用新案登録請求の範囲】
【請求項１】
角度回転機能を備える接続棒構造は、本体、連軸接続棒、直角接続カバー、グリップ、連動部品、磁力吸着部品、迅速取外しユニットを備え、
前記本体内部には、穿設空間を設置し、前記穿設空間内部には、停止部を設置し、前記本体の反対端には、嵌合組合せ端を設置し、前記嵌合組合せ端の予定位置には、外環状槽を設置し、
前記連軸接続棒一端には、六角棒セクションを設置し、しかも前記連軸接続棒の予定セクションには、ブッシングを固定して設置し、これにより前記連軸接続棒の六角棒セクションを、前記本体の穿設空間に通して設置した後、前記ブッシングは、ブッシングにおいて停止し、
前記連軸接続棒の反対端には、斜歯部を設置し、前記斜歯部に近い予定セクション位置には、固定セクションを設置し、前記固定セクションの隣接側には、環状係合部を設置し、前記固定セクションは、ベアリング部品にちょうど嵌めて設置され、これにより前記ベアリング部品両端は、環状係合部と斜歯部にそれぞれ係合して停止し、
前記直角接続カバーは、相互に直角状を呈する第一軸室と第二軸室を、内部に貫通状に設置し、前記第一軸室内縁壁面の予定位置には、内環状槽、環状接続槽をそれぞれ設置し、これにより前記連軸接続棒の斜歯部を、前記第一軸室内部に嵌めて入れた後、前記内環状槽には、嵌合リングを嵌めて設置し、前記ベアリング部品に接触し、こうして前記連軸接続棒を連結して定位し、しかも前記環状接続槽には、環状嵌合部品を嵌合し、これにより前記本体の嵌合組合せ端の外環状槽は、前記第一軸室内部の環状嵌合部品にちょうど嵌り、こうして前記直角接続カバーは、前記本体に定位され、
前記第二軸室内壁の予定位置には、環状受止槽、可動導入孔を設置し、前記第一軸室の径方向位置には、固定ネジ孔、側組立て孔をそれぞれ設置し、前記側組立て孔外側には、連蓋を設置し、
前記グリップ一端には、固定螺合端を設置し、しかも前記グリップ内部には、収容室を設置し、前記収容室は、底蓋で蓋をし、前記底蓋には、結合部を突出状に設置し、これにより前記収容室一端を固定し、
前記連動部品は、斜歯車を備え、前記斜歯車頂点部中央には、中ガイド柱を突出状に設置し、前記第二軸室の可動導入孔内部に、可動ガイド部品を固定し、これにより前記斜歯車の中ガイド柱は、前記可動ガイド部品に通して設置され、しかも前記斜歯車は、前記連軸接続棒の斜歯部に噛み合い、
前記斜歯車の反対端には、迅速取外し組合せ部を設置し、前記迅速取外し組合せ部の予定位置には、前環状槽、後環状槽をそれぞれ設置し、しかも前記迅速取外し組合せ部の予定位置には、斜嵌槽を内向きに設置し、前記迅速取外し組合せ部内部中央には、磁力吸着組合せ孔を設置し、前記磁力吸着組合せ孔の上向きの端には、六角組合せ槽を貫通状に設置し、
前記迅速取外し組合せ部の斜歯車に隣接する側には、回転ベアリングを嵌めて設置し、嵌めて設置した後、前記回転ベアリング片側は、前記第二軸室に対応し、迅速取外し接続台を収容設置し、これにより前記後環状槽を、前記嵌合リングに嵌めて設置して定位し、前記回転ベアリングを停止させ、
前記迅速取外し接続台外縁には、固定嵌合槽を設置し、前記固定嵌合槽には、嵌合リングを嵌めて定位し、これにより前記嵌合リングの別の突出部は、前記第二軸室の環状受止槽に係合し、こうして前記連動部品は、前記第二軸室内部に定位され、
前記磁力吸着部品外縁は、滑り止め機能を備える磁石嵌合カバーにより覆い、前記磁力吸着部品は、磁力吸着組合せ孔中に、導引して組み立て、
前記迅速取外しユニットは、迅速取外し接続カバーと迅速取外しバネを備え、相対させて構成し、前記迅速取外し接続カバー内部の一端には、斜環状槽を設置し、しかも前記迅速取外しバネ一端は延伸し、嵌合横棒を湾曲して形成し、これにより前記迅速取外しバネは、前記連動部品の迅速取外し組合せ部に嵌めて設置された後、前記迅速取外しバネ末端は、嵌合リングに停止し、これにより前記嵌合横棒は、前記迅速取外し組合せ部の斜嵌槽に導入され、これにより前記六角組合せ槽内に露出し、
前記迅速取外し接続カバーは、前記迅速取外しバネの外を覆い、前記迅速取外し接続カバーの斜環状槽は、前記迅速取外しバネの外縁に係合して定位し、これにより前記迅速取外し接続カバーを軸方向に移動させ、前記迅速取外しバネの嵌合横棒を連動し、前記六角組合せ槽内で露出させ、或いは露出させず、前記迅速取外し組合せ部の前環状槽は、嵌合部品を嵌合して定位し、これにより前記迅速取外し接続カバー一端の位置を限定することを特徴とする角度回転機能を備える接続棒構造。
【請求項２】
前記連軸接続棒末端には、延伸して迅速組合せユニットを設置することができ、
前記迅速組合せユニットは、内部に六角槽を形成し、しかも前記連軸接続棒末端外縁の予定の位置には、一組のブロック槽、嵌合接続区をそれぞれ設置し、前記一組のブロック槽と前記嵌合接続区との間には、斜削槽を設置し、前記一組のブロック槽内部には、ガイド組合せブロックを係合して定位し、これにより前記連軸接続棒末端には、弾性部品を嵌めて入れ、前記ガイド組合せブロックに接触させて押さえ、
前記弾性部品一端は、延伸して、嵌合延伸部を形成し、前記嵌合延伸部は、前記斜削槽内に導入され、前記六角槽中に露出し、
前記弾性部品は、迅速組合せ台を覆い、前記迅速組合せ台内部の一端には、停止面を設置し、前記弾性部品外縁を係合して定位し、これにより前記迅速組合せ台は、軸方向に移動し、前記弾性部品の嵌合延伸部を連動し、前記六角槽中において露出させ、或いは露出させず、
前記嵌合接続区には、前記嵌合接続部品を嵌合して定位し、前記迅速組合せ台は、前記嵌合接続部品に対応し、前槽口を形成し、これにより前記前槽口は、前記連軸接続棒末端の一端に位置を限定されることを特徴とする請求項１に記載の角度回転機能を備える接続棒構造。
【請求項３】
前記迅速取外しユニットの迅速取外し接続カバー一端は延伸して、磁石結合台を結合し、前記磁石結合台内縁壁面には、磁石台嵌合槽を設置し、しかも前記迅速取外し接続カバーは、前記磁石台嵌合槽に対応し、磁石台接続槽を設置し、
これにより、前記磁石台嵌合槽と前記磁石台接続槽との間には、固定環状体を設置し、しかも前記磁石結合台には、磁性部品を設置することを特徴とする請求項１に記載の角度回転機能を備える接続棒構造。
【請求項４】
前記グリップは、前記直角接続カバーの側組立て孔に取外し可能状態で組み合わせることを特徴とする請求項１に記載の角度回転機能を備える接続棒構造。
【考案の詳細な説明】
【技術分野】
【０００１】
本考案は角度回転機能を備える接続棒構造に関し、特にグリップは本体に対して直角にドライバーヘッドの軸回転をコントロールできる角度回転機能を備える接続棒構造に関する。
【背景技術】
【０００２】
特許文献１に開示する「工具横揺れ回転ヘッドの定位カバー構造」は、工具接続棒に、定位カバーを嵌めて設置し、接続棒前端には、球形のジョイントを形成し、これによりもう一つの嵌合接続部品と可動状に接合し、横揺れ回転ヘッドを構成する。これにより、嵌合接続部品が嵌合する工具は、作業空間に応じて、フレキシブルに横方向に動かす操作を行うことができる。さらに、定位カバーにより、その正常な直棒式の操作形態に定位することができる。工具接続棒は、球形ジョイントのやや後端の予定の位置に、２本の環状槽を設置する。２本の環状槽内には、それぞれＣ型バネを嵌めて設置する。定位カバー内壁の予定の位置には、別に環状槽を設置し、接続棒前環状槽のＣ型リングを利用し、定位カバーの環状槽と係合して定位する。接続棒と定位カバーの定位により、定位カバーの嵌合接続部品の嵌合支持状態を維持することができる。定位カバーを押して後方へと移動させ、嵌合接続部品に対する嵌合支持状態を離脱することができ、接続棒後環状槽のＣ型バネの停止と位置限定を受けることができる。こうして、定位カバー環状槽と接続棒前環状槽Ｃ型バネとの相対関係の改変により、定位カバーを迅速に定位し、或いは横揺れ回転ヘッドの接続棒との関係形態を解消することができる。これにより、作業中に遭遇し得る真っ直ぐ、或いは左右方向に動かすなどの異なる形態の操作ニーズに応えることができる。
特許文献２に開示する「スリーブ回転定位構造」は、導入接続部品に、嵌合接続して駆動可能な四角孔台を設置し、反対端には、頚部セクション、多角球ヘッドを設置する。頚部セクションには、位置限定リングを嵌合する。駆動部品一端には、多角回転孔を設置する。多角回転孔は、導入接続部品の多角球ヘッドにちょうど相対して可動状に接続し、駆動することができる。多角回転孔の端縁の適当な位置には、位置限定槽を陥没状に設置する。多角球ヘッドを多角回転孔内に入れることで、位置限定リングを、多角回転孔の位置限定槽内に嵌めて入れることができる。別に、駆動部品の反対端内部には、嵌合孔を設置する。嵌合孔と多角回転孔の間の位置には、磁石部品を設置し、これにより多角球ヘッドの相対端面に磁石吸着して接触することができる。
【０００３】
しかし、上記した従来の構造には、実際の使用において、以下の欠点が存在する。特許文献１、２の接続棒一端は、真っ直ぐ操作、或いは左右方向操作などの違った方式を兼ね備える、交換して駆動する設計ではあるが、接続棒反対端に結合する駆動源は、傾斜回転盤を提供することで、直棒或いは傾斜角度を調整して駆動する設計を持たない。本考案は、従来の接続棒構造の上記した欠点に鑑みてなされたものである。
【先行技術文献】
【特許文献】
【０００４】
【特許文献１】米国特許第０９／３７６，３８８号明細書
【特許文献２】米国特許第１１／７１０，６４８号明細書
【考案の概要】
【考案が解決しようとする課題】
【０００５】
本考案が解決しようとする課題は、一端に真っ直ぐ操作、或いは左右方向操作などの違った方式を兼ね備える、交換して駆動する設計ではあるが、接続棒反対端に結合する駆動源は、傾斜回転盤を提供することで、直棒或いは傾斜角度を調整して駆動する設計を持たないという従来の接続棒構造に存在する課題を解決することができる角度回転機能を備える接続棒構造を提供することである。
【課題を解決するための手段】
【０００６】
上記課題を解決するため、本考案は下記の角度回転機能を備える接続棒構造を提供する。
角度回転機能を備える接続棒構造は、本体、連軸接続棒、直角接続カバー、グリップ、連動部品、磁力吸着部品、迅速取外しユニットを備え、
該本体内部には、穿設空間を設置し、該穿設空間内部には、停止部を設置し、該本体の反対端には、嵌合組合せ端を設置し、該嵌合組合せ端の予定位置には、外環状槽を設置し、
該連軸接続棒一端には、六角棒セクションを設置し、しかも該連軸接続棒の予定セクションには、ブッシングを固定して設置し、これにより該連軸接続棒の六角棒セクションを、該本体の穿設空間に通して設置した後、該ブッシングは、ブッシングにおいて停止し、  該連軸接続棒の反対端には、斜歯部を設置し、該斜歯部に近い予定セクション位置には、固定セクションを設置し、該固定セクションの隣接側には、環状係合部を設置し、該固定セクションは、ベアリング部品にちょうど嵌めて設置され、これにより該ベアリング部品両端は、環状係合部と斜歯部にそれぞれ係合して停止し、
該直角接続カバーは、相互に直角状を呈する第一軸室と第二軸室を、内部に貫通状に設置し、該第一軸室内縁壁面の予定位置には、内環状槽、環状接続槽をそれぞれ設置し、これにより該連軸接続棒の斜歯部を、該第一軸室内部に嵌めて入れた後、該内環状槽には、嵌合リングを嵌めて設置し、該ベアリング部品に接触し、こうして該連軸接続棒を連結して定位し、しかも該環状接続槽には、環状嵌合部品を嵌合し、これにより該本体の嵌合組合せ端の外環状槽は、該第一軸室内部の環状嵌合部品にちょうど嵌り、こうして該直角接続カバーは、該本体に定位され、
該第二軸室内壁の予定位置には、環状受止槽、可動導入孔を設置し、該第一軸室の径方向位置には、固定ネジ孔、側組立て孔をそれぞれ設置し、該側組立て孔外側には、連蓋を設置し、
該グリップ一端には、固定螺合端を設置し、しかも該グリップ内部には、収容室を設置し、該収容室は、底蓋で蓋をし、該底蓋には、結合部を突出状に設置し、これにより該収容室一端を固定し、
該連動部品は、斜歯車を備え、該斜歯車頂点部中央には、中ガイド柱を突出状に設置し、該第二軸室の可動導入孔内部に、可動ガイド部品を固定し、これにより該斜歯車の中ガイド柱は、該可動ガイド部品に通して設置され、しかも該斜歯車は、該連軸接続棒の斜歯部に噛み合い、
該斜歯車の反対端には、迅速取外し組合せ部を設置し、該迅速取外し組合せ部の予定位置には、前環状槽、後環状槽をそれぞれ設置し、しかも該迅速取外し組合せ部の予定位置には、斜嵌槽を内向きに設置し、該迅速取外し組合せ部内部中央には、磁力吸着組合せ孔を設置し、該磁力吸着組合せ孔の上向きの端には、六角組合せ槽を貫通状に設置し、
該迅速取外し組合せ部の斜歯車に隣接する側には、回転ベアリングを嵌めて設置し、嵌めて設置した後、該回転ベアリング片側は、該第二軸室に対応し、迅速取外し接続台を収容設置し、これにより該後環状槽を、該嵌合リングに嵌めて設置して定位し、該回転ベアリングを停止させ、
該迅速取外し接続台外縁には、固定嵌合槽を設置し、該固定嵌合槽には、嵌合リングを嵌めて定位し、これにより該嵌合リングの別の突出部は、該第二軸室の環状受止槽に係合し、こうして該連動部品は、該第二軸室内部に定位され、
該磁力吸着部品外縁は、滑り止め機能を備える磁石嵌合カバーにより覆い、該磁力吸着部品は、磁力吸着組合せ孔中に、導引して組み立て、
該迅速取外しユニットは、迅速取外し接続カバーと迅速取外しバネを備え、相対させて構成し、該迅速取外し接続カバー内部の一端には、斜環状槽を設置し、しかも該迅速取外しバネ一端は延伸し、嵌合横棒を湾曲して形成し、これにより該迅速取外しバネは、該連動部品の迅速取外し組合せ部に嵌めて設置された後、該迅速取外しバネ末端は、嵌合リングに停止し、これにより該嵌合横棒は、該迅速取外し組合せ部の斜嵌槽に導入され、これにより該六角組合せ槽内に露出し、
該迅速取外し接続カバーは、該迅速取外しバネの外を覆い、該迅速取外し接続カバーの斜環状槽は、該迅速取外しバネの外縁に係合して定位し、これにより該迅速取外し接続カバーを軸方向に移動させ、該迅速取外しバネの嵌合横棒を連動し、該六角組合せ槽内で露出させ、或いは露出させず、該迅速取外し組合せ部の前環状槽は、嵌合部品を嵌合して定位し、これにより該迅速取外し接続カバー一端の位置を限定する。
【考案の効果】
【０００７】
本考案の角度回転機能を備える接続棒構造により、使用者が、回転連棒構造を用いて作業を行う際には、電動或いは手動工具により、連軸接続棒の六角棒セクションを駆動し、これにより連軸接続棒の斜歯部は、連動部品の斜歯車を連動し、ドライバーヘッドを駆動して、直角性質の螺合作業を行うことができる。
【図面の簡単な説明】
【０００８】
【図１】本考案角度回転機能を備える接続棒構造の組合せ立体図である。
【図２】本考案角度回転機能を備える接続棒構造の分解立体図である。
【図３】本考案角度回転機能を備える接続棒構造の組合せ断面図である。
【図４】本考案角度回転機能を備える接続棒構造の組合せ断面動作模式図である。
【図５】本考案角度回転機能を備える接続棒構造の別種の実施形態模式図である。
【図６】本考案角度回転機能を備える接続棒構造のさらに別種の実施形態模式図である。
【図７】本考案角度回転機能を備える接続棒構造のまたさらに別種の実施形態において、グリップを未交換状態の模式図である。
【図８】本考案角度回転機能を備える接続棒構造のまたさらに別種の実施形態において、グリップを交換した状態の模式図である。
【考案を実施するための形態】
【０００９】
以下に図面を参照しながら本考案を実施するための最良の形態について詳細に説明する。
【実施例】
【００１０】
図１〜４は、角度回転機能を備える接続棒構造の実施形態を示す。但し、これら実施形態は、説明のために用いるだけで、実用新案の申請においては、この構造の制限を受けるものではない。
【００１１】
角度回転機能を備える接続棒構造は、本体１０、連軸接続棒２０、直角接続カバー３０、グリップ４０、連動部品５０、磁力吸着部品６１、迅速取外しユニット７０を備える。本体１０内部には、穿設空間１３を設置する。穿設空間１３内部には、停止部１４を設置する。本体１０の反対端には、嵌合組合せ端１１を設置する。嵌合組合せ端１１の予定位置には、外環状槽１２を設置する。
【００１２】
連軸接続棒２０一端には、六角棒セクション２４を設置する。しかも、連軸接続棒２０の予定セクションには、ブッシング２８を固定して設置する。これにより、連軸接続棒２０の六角棒セクション２４を、本体１０の穿設空間１３に通して設置した後、ブッシング２８は、ブッシング２８において停止する。連軸接続棒２０の反対端には、斜歯部２３を設置し、斜歯部２３に近い予定セクション位置には、固定セクション２２を設置する。固定セクション２２の隣接側には、環状係合部２１を設置する。固定セクション２２は、ベアリング部品２５にちょうど嵌めて設置される。これにより、ベアリング部品２５両端は、環状係合部２１と斜歯部２３にそれぞれ係合して停止する。
【００１３】
直角接続カバー３０は、相互に直角状を呈する第一軸室３４と第二軸室３１を、内部に貫通状に設置する。第一軸室３４内縁壁面の予定位置には、内環状槽３５、環状接続槽３６をそれぞれ設置する。これにより、連軸接続棒２０の斜歯部２３を、第一軸室３４内部に嵌めて入れた後、内環状槽３５には、嵌合リング２６を嵌めて設置し、ベアリング部品２５に接触し、こうして連軸接続棒２０を連結して定位する。しかも、環状接続槽３６には、環状嵌合部品２７を嵌合し、これにより本体１０の嵌合組合せ端１１の外環状槽１２は、第一軸室３４内部の環状嵌合部品２７にちょうど嵌る。こうして、直角接続カバー３０は、本体１０に定位される。第二軸室３１内壁の予定位置には、環状受止槽３２、可動導入孔３３を設置する。第一軸室３４の径方向位置には、固定ネジ孔３７、側組立て孔３０２をそれぞれ設置する。側組立て孔３０２外側には、連蓋３０１を設置する。
【００１４】
グリップ４０一端には、固定螺合端４１を設置する。しかも、グリップ４０内部には、収容室４２を設置する。収容室４２は、底蓋４３で蓋をする。底蓋４３には、結合部４４を突出状に設置し、これにより収容室４２一端を固定する。収容室４２には、ドライバーヘッドＰを収容設置することができる。
【００１５】
連動部品５０は、斜歯車５１を備える。斜歯車５１頂点部中央には、中ガイド柱５２を突出状に設置し、第二軸室３１の可動導入孔３３内部に、可動ガイド部品５３を固定する。これにより、斜歯車５１の中ガイド柱５２は、可動ガイド部品５３に通して設置される。しかも、斜歯車５１は、連軸接続棒２０の斜歯部２３に噛み合う。斜歯車５１の反対端には、迅速取外し組合せ部５４を設置する。迅速取外し組合せ部５４の予定位置には、前環状槽５７、後環状槽５５をそれぞれ設置する。しかも、迅速取外し組合せ部５４の予定位置には、斜嵌槽５６を内向きに設置する。迅速取外し組合せ部５４内部中央には、磁力吸着組合せ孔５０１を設置する。磁力吸着組合せ孔５０１の上向きの端には、六角組合せ槽５０２を貫通状に設置する。六角組合せ槽５０２には、ドライバーヘッドＰを設置することができる。迅速取外し組合せ部５４の斜歯車５１に隣接する側には、回転ベアリングＢを嵌めて設置する。嵌めて設置した後、回転ベアリングＢ片側は、第二軸室３１に対応し、迅速取外し接続台３９を収容設置する。これにより、後環状槽５５を、嵌合リング５８に嵌めて設置して定位し、回転ベアリングＢを停止させる。迅速取外し接続台３９外縁には、固定嵌合槽３９１を設置する。固定嵌合槽３９１には、嵌合リング３８を嵌めて定位する。これにより、嵌合リング３８の別の突出部は、第二軸室３１の環状受止槽３２に係合する。こうして、連動部品５０は、第二軸室３１内部に定位される。
【００１６】
磁力吸着部品６１外縁は、滑り止め機能を備える磁石嵌合カバー６０により覆う。磁力吸着部品６１は、磁力吸着組合せ孔５０１中に、導引して組み立てる。こうして、ドライバーヘッドＰは、六角組合せ槽５０２中に設置される時、磁力吸着部品６１を磁力により吸着される。
【００１７】
迅速取外しユニット７０は、迅速取外し接続カバー７３と迅速取外しバネ７１を備え、相対させて構成する。迅速取外し接続カバー７３内部の一端には、斜環状槽７４を設置し、しかも迅速取外しバネ７１一端は延伸し、嵌合横棒７２を湾曲して形成する。これにより、迅速取外しバネ７１は、連動部品５０の迅速取外し組合せ部５４に嵌めて設置された後、迅速取外しバネ７１末端は、嵌合リング５８に停止する。これにより、嵌合横棒７２は、迅速取外し組合せ部５４の斜嵌槽５６に導入され、これにより六角組合せ槽５０２内に露出する。迅速取外し接続カバー７３は、迅速取外しバネ７１の外を覆う。迅速取外し接続カバー７３の斜環状槽７４は、迅速取外しバネ７１の外縁に係合して定位する。これにより、迅速取外し接続カバー７３を軸方向に移動させ、迅速取外しバネ７１の嵌合横棒７２を連動し、六角組合せ槽５０２内で露出させ、或いは露出させない。迅速取外し組合せ部５４の前環状槽５７は、嵌合部品５９を嵌合して定位する。これにより、迅速取外し接続カバー７３一端の位置を限定する。こうして、迅速取外しユニット７０は、ドライバーヘッドＰの迅速な組合せ定位、或いは迅速な取り外しを提供することができる。
【００１８】
図５に示すように、本考案の別種の実施形態では、連軸接続棒２０末端には、延伸して迅速組合せユニット８０を設置することができる。迅速組合せユニット８０は、内部に六角槽２０３を形成する。六角槽２０３には、ドライバーヘッドＰを組み合わせることができる。しかも、連軸接続棒２０末端外縁の予定の位置には、ブロック組立て槽２９、嵌合接続区２０１をそれぞれ設置する。ブロック組立て槽２９と嵌合接続区２０１との間には、斜削槽２０２を設置する。ブロック組立て槽２９内部には、ガイド組合せブロック８２を係合して定位する。これにより、連軸接続棒２０末端には、弾性部品８６を嵌めて入れ、ガイド組合せブロック８２に接触させて押さえる。弾性部品８６一端は、延伸して、嵌合延伸部８７を形成する。嵌合延伸部８７は、斜削槽２０２内に導入され、六角槽２０３中に露出する。弾性部品８６は、迅速組合せ台８１を覆う。迅速組合せ台８１内部の弾性空間８３一端には、停止面８４を設置し、弾性部品８６外縁を係合して定位する。これにより、迅速組合せ台８１は、軸方向に移動し、弾性部品８６の嵌合延伸部８７を連動し、六角槽２０３中において露出させ、或いは露出させない。嵌合接続区２０１には、嵌合接続部品８８を嵌合して定位する。迅速組合せ台８１は、嵌合接続部品８８に対応し、前槽口８５を形成する。これにより、前槽口８５は、連軸接続棒２０末端の一端に位置を限定される。
【００１９】
図６に示すように、本考案のさらに別種の実施形態では、迅速取外しユニット７０の迅速取外し接続カバー７３一端は延伸して、磁石結合台９０を結合する。磁石結合台９０内縁壁面には、磁石台嵌合槽９１を設置する。しかも、迅速取外し接続カバー７３は、磁石台嵌合槽９１に対応し、磁石台接続槽７５を設置する。これにより、磁石台嵌合槽９１と磁石台接続槽７５との間には、固定環状体を設置し、しかも磁石結合台９０には、磁性部品９２を設置し、これによりドライバーヘッドＰの端部により、ナットＳを吸着することができる。
【００２０】
図７、８に示すように、本考案のさらに別種の実施形態では、グリップ４０は、直角接続カバー３０の側組立て孔３０２に取外し可能状態で組み合わせる。
【００２１】
上記した構造により、使用者が、回転連棒構造を用いて作業を行う際には、電動或いは手動工具により、連軸接続棒２０の六角棒セクション２４を駆動し、これにより連軸接続棒２０の斜歯部２３は、連動部品の斜歯車５１を連動し、ドライバーヘッドＰを駆動して、直角性質の螺合作業を行うことができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２３】
１０  本体
１１  嵌合組合せ端
１２  外環状槽
１３  穿設空間
１４  停止部
２０  連軸接続棒
２０１  嵌合接続区
２０２  斜削槽
２０３  六角槽
２１  環状係合部
２２  固定セクション
２３  斜歯部
２４  六角棒セクション
２５  ベアリング部品
２６  嵌合リング
２７  環状嵌合部品
２８  ブッシング
２９  ブロック組立て槽
３０  直角接続カバー
３０１  連蓋
３０２  側組立て孔
３１  第二軸室
３２  環状受止槽
３３  可動導入孔
３４  第一軸室
３５  内環状槽
３６  環状接続槽
３７  固定ネジ孔
３８  嵌合リング
３９  迅速取外し接続台
３９１  固定嵌合槽
４０  グリップ
４１  固定螺合端
４２  収容室
４３  底蓋
４４  結合部
５０  連動部品
５０１  磁力吸着組合せ孔
５０２  六角組合せ槽
５１  斜歯車
５２  中ガイド柱
５３  可動ガイド部品
５４  迅速取外し組合せ部
５５  後環状槽
５６  斜嵌槽
５７  前環状槽
５８  嵌合リング
５９  嵌合部品
６０  磁石嵌合カバー
６１  磁力吸着部品
７０  迅速取外しユニット
７１  迅速取外しバネ
７２  嵌合横棒
７３  迅速取外し接続カバー
７４  斜環状槽
７５  磁石台接続槽
８０  迅速組合せユニット
８１  迅速組合せ台
８２  ガイド組合せブロック
８３  弾性空間
８４  停止面
８５  前槽口
８６  弾性部品
８７  嵌合延伸部
８８  嵌合接続部品
９０  磁石結合台
９１  磁石台嵌合槽
９２  磁性部品
Ｐ  ドライバーヘッド
Ｓ  ナット
Ｂ  回転ベアリング
【図１】
0003188583.tif 000003
【図２】
0003188583.tif 000004
【図３】
0003188583.tif 000005
【図４】
0003188583.tif 000006
【図５】
0003188583.tif 000007
【図６】
0003188583.tif 000008
【図７】
0003188583.tif 000009
【図８】
0003188583.tif 000010